(57)【要約】【課題】　特定者からの着信を着信音によらずに判りやすく知らせると共に、そのための設定操作を容易とする。【解決手段】　電話帳データの登録の機能を設けると共に、着信があったときに、発信元の相手先名（あるいは電話番号）を表示部５に表示する発信者表示機能を設ける。特定者をユーザが予め指定しておくことにより、その特定者からの着信があったときには、表示部５の表示を、通常（ｂ）とは異なる絵柄表示を含む特定の表示形態（ｃ）に切替える表示切替えの機能を設ける。特定者の登録は、電話帳データを呼出してその相手先名のリストを表示部５に表示し、ユーザがキー操作部を操作してそのなかから特定者を指定することに基づいて行なう。その際、複数の絵柄を選択可能とする。また、グループを一括して特定者として登録することも可能とする。【選択図】　　　　図２
2004088796.tif 000002
【特許請求の範囲】
【請求項１】
通信の相手先名及びその電話番号等からなる電話帳データの登録が可能な電話帳データの登録が可能で、登録された前期電話番号を検索して電話をかけるための電話帳データ登録機能を備えると共に、着信時にその発信元が前記電話帳データに登録されている場合にその相手先名を表示部に表示する発信者表示機能を備えるものであって、
　前記電話帳データを読み出して、登録されている相手先のうちの特定者を指定するための指定手段と、
　この指定手段により指定されている特定者からの着信があったときには、前記発信者表示機能による表示部の表示を、通常とは異なる動画表示に切替える表示形態切替手段とを具備することを特徴とする通信端末装置。
【発明の詳細な説明】
【技術分野】
【０００１】
　本発明は、電話帳データの登録が可能ないわゆるメモリダイヤルの機能を備えると共に、着信時に表示部に相手先名を表示する発信者表示機能を備える通信端末装置に関する。
【背景技術】
【０００２】
　通信端末装置例えば携帯電話機は、一般に、ユーザが、よく電話をかける相手先名やその電話番号等の電話帳データを登録できる、いわゆるメモリダイヤルの機能を備えている。また、携帯電話機においては、電話がかかってくると、その発信元の電話番号を表示部に表示する発信者表示機能を有するものもあり、この機能においては、発信元の電話番号がメモリダイヤルに登録されているものであれば、電話番号に代えて相手先名を表示部に表示させるようになっている。
【０００３】
　ところで、近年、この種の携帯電話機においては、例えば恋人や特定の友人、家族等の特定者からの着信があったことを、他者からの着信と区別して速やか且つ判りやすく知らせるため、設定された特定者からの着信があったときには、着信音（メロディパターン）を他の場合と異なるものに切替えるようにした、着信音切替機能を備えたものが供されている。
【０００４】
　これによれば、ユーザは、着信音を聞いただけで特定者からの着信であること容易に判り、ユーザにとっての利便性やアミューズメント性の向上を図ることができるものである。ところが、このように特定者からの着信を着信音の切替えにより知らせるものでは、携帯電話機がサイレントモードやバイブレータモードに設定されている場合には、せっかくの機能が役に立たなくなり、常に有効な機能であるとはいえなかった。
【０００５】
　そこで、更に近年では、発信者表示機能による表示部の表示を、ユーザにより設定された特定者からの着信があった場合に、通常のものとは異なる絵柄などを含んだ表示形態に切替えるようにする機能を備えたものも供されている。この機能は、例えば自宅からの着信があった場合には、表示部に「家」を示す絵柄と共に「自宅から電話です」といったメッセージを表示させ、テニス仲間からの着信があった場合には、「テニスラケット」を示す絵柄と共に「テニス仲間より」といったメッセージを表示させるものであり、これにより、ユーザにとって着信時の表示がより楽しく且つ判りやすいものとなる。
【発明の開示】
【発明が解決しようとする課題】
【０００６】
　しかしながら、従来の着信時の表示切替えの機能は、特定の表示形態としたい特定者を設定するためには、相手先の名称（上記の例では自宅やテニス仲間）とその電話番号とを、ユーザがキー操作によりいちいち入力しなければならず、設定操作が面倒である不具合があった。特に、複数人のグループを特定者として設定したい場合には、例えば相手先名を一字一字入力すると共に、１１桁もの電話番号を１個ずつキー入力することが、複数人に対して必要となり、入力操作が非常に面倒となってしまう。
【０００７】
　本発明は上記事情に鑑みてなされたもので、その目的は、特定者からの着信を着信音によらずに判りやすく知らせることができ、そのための設定操作を容易に行なうことができる通信端末装置を提供するにある。
【課題を解決するための手段】
【０００８】
　本発明の請求項１の通信端末装置は、電話帳データを読み出して、登録されている相手先のうちの特定者を指定するための指定手段と、この指定手段により指定されている特定者からの着信があったときには、発信者表示機能による表示部の表示を、通常とは異なる動画表示に切替える表示形態切替手段とを具備する。
【０００９】
　これによれば、発信者表示機能により発信元が表示部に表示される際に、発信元が特定者であったときには、表示形態切替手段により、表示部の表示が、通常とは異なる特定の表示形態に切替えられるので、特定者からの着信があったことを、着信音によらずとも、表示部の表示により判りやすく知らせることができる。そして、その特定者の指定は、指定手段により、電話帳データに登録されている相手先のうちの特定者を選択指定することにより行なうことができるので、電話番号等をいちいち入力する必要はなく、特定者の指定操作を容易に行なうことができる。さらには、動画表示とすることでき、特定者からの着信があったことを、一層判りやすく知らせることができし、よりアミューズメント性を高めることができる。
【発明を実施するための最良の形態】
【００１０】
　以下、本発明を携帯電話機に適用した一実施例（請求項１〜４に対応）について、図面を参照しながら説明する。図４は、本実施例に係る通信端末装置たる携帯電話機１の外観構成を示し、図５は、携帯電話機１の電気的構成を概略的に示している。ここで、図４に示すように、携帯電話機１の本体２は、携帯可能な大きさの縦長形状をなし、その表面部には、ほぼ下半部に位置してキー操作部３が設けられている。
【００１１】
　このキー操作部３には、終了／電源キー３ａ、開始キー３ｂ、リダイヤル／クリアキー３ｃ、文字キー３ｄ、メニュー／決定キー３ｅ、上下左右のカーソルキー３ｆ、数字や文字に対応した複数個のダイヤルキー３ｇ等からなる多数個のキーが設けられている。このとき、前記本体２の下端部には、このキー操作部３を開閉可能に覆うフリップ４が設けられている。尚、着信操作（通話）等については、このフリップ４を閉じたまま行なうことが可能とされている。
【００１２】
　また、前記本体２には、前記キー操作部３の上側に位置して表示部５が設けられている。この表示部５は、例えば漢字表示が可能なＬＣＤからなり、また、図示はしないがバックライトを備えて構成されている。この表示部５には、電話番号や各種のメッセージ、図１〜図３に一部示すような、各種機能を実現するための機能画面等が表示されるようになっている。
【００１３】
　さらに、前記本体２の表面部には、下端部に位置して送話音を入力するためのマイクロホン６が設けられ、前記表示部５の上部に位置して音声を出力するためのスピーカ７が設けられている。本体２の上端部には、着信時に点滅するＬＥＤ等からなる着信ランプ８が設けられていると共に、通信（通話）用のアンテナ９が引き出し可能に設けられている。
【００１４】
　一方、図５に示すように、前記本体２内には、マイコンを主体として構成され全体の制御を行う制御回路１０が設けられていると共に、この制御回路１０に接続された音声処理部１１、データ変換部１２、送受信部１３が設けられている。前記音声処理部１１には、前記マイクロホン６及びスピーカ７が接続されていると共に、前記データ変換部１２が接続され、このデータ変換部１２に前記送受信部１３が接続され、この送受信部１３に前記アンテナ９が接続されている。
【００１５】
　また、前記制御回路１０には、前記キー操作部３の操作信号がキー操作検出部１４を介して入力されるようになっていると共に、この制御回路１０が表示制御部１５を介して前記表示部５の表示を制御するようになっている。そして、この制御回路１０には、メモリ１６が接続されている。この場合、このメモリ１６は、例えば不揮発性メモリ（ＥＥＰＲＯＭ）等かならなり、通信（通話やメールの送受信）等に係る制御プログラムや後述するような各種機能を実行するプログラムが記憶されると共に、後述する電話帳データ（メモリダイヤル）や特定者登録データ等の各種データが記憶されるようになっている。
【００１６】
　このような構成により、携帯電話機１の通話時においては、アンテナ９で受信した信号が送受信部１３により通信データに変換され、その通信データがデータ変換部１２により音声データに変換され、その音声データが音声処理部１１により送話信号としてスピーカ７から出力されるようになっている。これと共に、マイクロホン６から入力される受話信号が、音声処理部１１により音声データに変換され、その音声データがデータ変換部１２により通信データに変換され、その通信データが送受信部１３により送信信号に変換されてアンテナ９から出力され、もって通話の機能が実現されるようになっている。また、詳しい説明は省略するが、この携帯電話機１は、メール（文字メッセージデータ）の送受信の機能も備えている。
【００１７】
　尚、このような通信（通話）は、エリア毎に設けられる基地局及びそれらを統括する中央制御局により制御、管理されるようになっており、そのとき、着信側の携帯電話機１に呼び出し信号を送る際に、併せて発信元の電話番号データを送信するようになっている。そして、携帯電話機１には、着信があった（電話がかかってきた）ときに、発信元の電話番号を表示部５に表示する発信者表示機能を備えている。このとき、発信元の電話番号が、後述する電話帳データ（メモリダイヤル）に登録されているものであれば、表示部５には、電話番号に代えて相手先名が表示されるようになっている。
【００１８】
　さらに、この携帯電話機１は、メモリダイヤルと称される電話帳データの登録の機能を備えている。この電話帳データ登録機能は、前記制御回路１０の処理動作を中心としたソフトウエア的構成により実現され、所有者（ユーザ）がキー操作部３を操作することにより、良く電話をかけるような相手の、相手先名、振り仮名、電話番号、友人や仕事仲間等を分類するグループ番号等からなる電話帳データを、前記メモリ１６の電話帳データ記憶領域に例えば最大５００件まで登録（記憶）させておくものである。この電話帳データの登録が行われることによって、ユーザのキー操作により、メモリ番号、相手先名、グループ番号、電話番号の一部等から登録された電話番号を検索して表示部５に表示させることができ、その状態でワンタッチ（開始キー３ｂの操作）で電話をかけることができるものである。
【００１９】
　さて、この携帯電話機１は、上述のように、着信があったとき（着信中）に、発信元の相手先名（あるいは電話番号）を表示部５に表示する発信者表示機能を備えているのであるが、前記電話帳データに登録されている相手先のうち特定者をユーザが予め指定（登録）しておくことにより、その特定者からの着信があったときには、表示部５の表示を、通常とは異なる特定の表示形態に切替える表示切替えの機能を有している。
【００２０】
　この表示切替えの機能は、前記制御回路１０の処理動作を中心としたソフトウエア的構成により実現される。即ち、メモリ１６の特定者登録データ記憶領域に、特定者の登録データ（相手先名、電話番号、グループ番号、表示の種類等）が記憶（登録）されており、制御回路１０は、その特定者登録データのリスト中に、基地局から呼び出し信号と共に送信された発信元の電話番号データと一致するものが存在するかどうかを検索し、存在しなければ、表示部５に通常の表示（図１（ｂ）参照）を行ない、存在していれば、特定の表示形態として、図１（ｃ）に例示するように、表示部５に相手先名と共に絵柄を表示するのである。従って、制御回路１０が、表示形態切替手段として機能するのである。
【００２１】
　そして、後の作用説明でも述べるように、前記制御回路１０は、ユーザのキー操作部３の操作により表示切替機能のメニューが選択されると、表示部５に特定者登録の機能画面（図２参照）を表示し、その状態で、ユーザにより特定者の指定操作がなされることにより、特定者の登録を行なうようになっている。このとき、制御回路１０は、ユーザに特定者を指定させるにあたっては、電話帳データを呼出してその相手先名のリストを表示部５に表示するようになっており、ユーザがキー操作部３を操作してそのなかから特定者を指定することに基づいて登録を行なうようになっている。従って、キー操作部３が、指定手段として機能するようになっている。
【００２２】
　また、本実施例では、上記特定の表示形態における絵柄の種類として複数の絵柄（この場合、家族編の「家」の絵柄、恋人編の「ハート」の絵柄、友人編の「花」の絵柄の３種類）が選択可能とされており、特定者の指定操作時に、ユーザがそれらのうちいずれかを選択することができるようになっている。さらに、本実施例では、表示切替機能のメニューのサブメニューとして、グループ指定が可能とされており、これによれば、ユーザが電話帳データに登録されたグループ番号を指定することにより、そのグループに含まれる複数の相手先を一括して特定者として登録することができるようになっている。
【００２３】
　次に、上記構成の作用について、図１ないし図３も参照して述べる。図２及び図３は、特定者を登録（指定）する際の処理の流れを、表示部５の画面の表示がどのように変化するかによって示しており、図２は個人を特定者として指定する場合、図３はグループを一括して特定者として指定する場合を示している。まず、図２を参照して、個人を特定者として指定する場合について述べる。
【００２４】
　即ち、携帯電話機１の電源オン状態では、表示部５は日付及び時刻が表示された待受け画面となっている（画面ｄ１）。ユーザが、表示切替機能の特定者を指定登録したい場合には、キー操作部３のメニュー／決定キー３ｅをオン操作した上で、カーソルキー３ｆを操作して（あるいはメニュー番号を入力して）メモリ指定表示切替機能のメニューを選択する。すると、表示部５の画面には、特定者登録機能の設定画面が表示される（画面ｄ２）。この設定画面では、表示部５の下部に、「ＯＮ」、「ＳＥＴ」、「ＯＦＦ」のアイコンが表示され、ユーザは今から登録を行なう場合には、カーソルキー３ｆにて「ＯＮ」を選択した上で、メニュー／決定キー３ｅをオン操作する。尚、この選択状態では、アイコンが白黒反転するのであるが、図では、便宜上、四角で囲むことでアイコンの反転状態を示している。
【００２５】
　すると、表示部５は、登録リスト画面に切替わる（画面ｄ３）。この登録リスト画面では、既に特定者として登録されている相手先名（この場合、「山本浩志」、「秋田太郎」の２名分）が、表示される絵柄を示すマーク（この場合、共に友人編である「花」のマーク）と共に表示される。また、この特定者登録は所定の有限の件数について可能とされており、残り登録可能な件数分の「未登録」の文字が併せて表示される。尚、この場合、１画面には３件分の表示がなされるようになっており、例えばカーソルキー３ｆの操作により、画面をスクロールさせることが可能とされている。
【００２６】
　次に、ユーザは、新たに特定者を登録したい場合には、カーソルキー３ｆにて「未登録」を選択（白黒反転）した上でメニュー／決定キー３ｅをオン操作する。すると、表示部５の画面は「登録」の文字が反転したものとなり（画面ｄ４）、再度メニュー／決定キー３ｅをオン操作する。また、登録済みの特定者に対する、削除、画面の変更設定、上書き登録のいずれかを行ないたい場合には、その特定者を選択した上でメニュー／決定キー３ｅをオン操作する。すると、画面は「削除」、「設定」、「登録」を選択する画面となり（画面ｄ５）、例えば上書き登録を行ないたい場合には、「登録」を選択してメニュー／決定キー３ｅをオン操作する。
【００２７】
　ここで、画面ｄ４あるいは画面ｄ５のいずれかで「登録」が選択された場合には、電話帳データが呼出されてその相手先名及び電話番号のリストが表示部５に表示されるようになる（画面ｄ６）。このリストの表示は、例えば一画面に１件ずつ行なわれ、ユーザは、指定したい相手先を検索して表示させるようにする。画面ｄ６は、「中村智子」が検索された状態を示しており、ここでユーザがメニュー／決定キー３ｅをオン操作することにより、表示されている「中村智子」が特定者として指定されることになる。
【００２８】
　この特定者の指定が行なわれると、次に表示絵柄の種類を選択する画面が表示される（画面ｄ７）。また、上記画面ｄ５にて「設定」が選択された場合にも、この画面ｄ７が表示されるようになる。ユーザは、この画面にて、上記したような表示絵柄（「家族編」、「恋人編」、「友人編」のいずれか）を同様の選択操作により選択するようにする。
【００２９】
　「家族編」が選択されると、表示部５の画面の下半部に「家」の絵柄が表示され（画面ｄ８）、「恋人編」が選択されると、表示部５の画面の下半部に「ハート」の絵柄が表示され（画面ｄ９）、「友人編」が選択されると、表示部５の画面の下半部に「花」の絵柄が表示される（画面ｄ１０）。ユーザは、それら画面にて確認を行ない、メニュー／決定キー３ｅをオン操作することにより、その登録が完了し、登録リスト画面が表示されるようになる（画面ｄ１１）。この画面ｄ１１では、先に登録されていた「秋田太郎」に対して、「中村智子」を上書き登録した状態を例示している。
【００３０】
　この状態から、ユーザが更に特定者の指定（新たな登録等）を続ける場合には、上記画面ｄ３における説明と同様に、例えば「未登録」を選択すれば上記画面ｄ４からの処理を繰返し行なうことができる。機能を終了したい場合には、終了／電源キー３ａをオン操作すれば、待受け画面（画面ｄ１）に戻るようになる。尚、上記画面ｄ５にて、削除が選択された場合には、その特定者が登録リストから削除される。
【００３１】
　また、上述のように、図３は、グループを一括して特定者として登録（指定）する際の処理の流れを示しており、図２の処理とは異なる点を中心に述べる。即ち、ユーザが、表示切替機能の特定者をグループ単位で指定登録したい場合には、待受け画面（画面ｄ１）から、キー操作部３のメニュー／決定キー３ｅをオン操作した上で、カーソルキー３ｆを操作して（あるいはメニュー番号を入力して）グループ指定表示切替機能のメニューを選択する。尚、このメニューは、上記メモリ指定表示切替機能の設定画面（上記画面ｄ２）から、下向きのカーソルキー３ｆを操作することにより選択することができる。
【００３２】
　このとき、表示部５の画面には、グループ指定による特定者登録機能の設定画面が表示され（画面ｄ２１）、ユーザは、登録を行なう場合には、「ＯＮ」を選択し決定する。すると、表示部５は、登録リスト画面に切替わるようになる（画面ｄ２２）。この登録リスト画面では、既に指定（登録）されているグループ番号が、表示される絵柄を示すマークと共に表示される。また、更に登録が可能であれば「未登録」の文字も併せて表示される。尚、このグループ番号は、上記電話帳データの登録時に、ユーザによって指定分類される番号であり、ユーザは、このグループ番号により、例えばグループ１が友人で、グループ２が会社関係等と、分類を行なっておくようになっている。
【００３３】
　そして、ユーザは、新たにグループを特定者として登録したい場合には、「未登録」を選択、決定すると、表示部５の画面には「登録」の文字が反転表示されたものとなる（画面ｄ２３）。また、登録済みのグループに対する、削除、画面の変更設定、上書き登録のいずれかを行ないたい場合には、そのグループを選択、決定すると、画面は「削除」、「設定」、「登録」を選択する画面となる（画面ｄ２４）。
【００３４】
　これら画面ｄ２３あるいは画面ｄ２４にて「登録」が選択されると、電話帳データが呼出されてその電話帳データ中に存在するグループ番号のリストが表示されるようになる（画面ｄ２５）。ユーザは、この画面ｄ２５にて、特定者として指定したいグループ（例えばグループ２）を選択、決定する。尚、このとき、左右方向のカーソルキー３ｆを操作することにより、そのグループに属する電話帳データを表示させることができ（画面ｄ２６）、ユーザはそのグループを構成する相手先名等を確認することができる。
【００３５】
　この後、図２の処理と同様に表示絵柄の種類を選択する画面が表示され（画面ｄ７）。ユーザは、この画面にて、上記したような表示絵柄（「家族編」、「恋人編」、「友人編」のいずれか）を選択、決定するようにする（画面ｄ８〜ｄ１０）。決定がなされると、登録が完了し、登録リスト画面が表示されるようになる（画面ｄ２６）。この登録では、メモリ１６の特定者登録データ記憶領域に、指定されたグループに属する全ての相手先が特定者として記憶（登録）されるようになるのである。尚、画面ｄ２６では、先に登録されていた「グループ３」に対して、「グループ２」を上書き登録した状態を例示している。
【００３６】
　さて、上記のように特定者の登録がなされていると、上述のように、その後は、着信時において、制御回路１０は、メモリ１６に記憶された特定者の登録データ中に、基地局から呼び出し信号と共に送信された発信元の電話番号データと一致するものが存在するかどうかを検索し、存在していれば、その登録データに基づいた表示部５の表示を行なうようになっている。特定者の登録データ中に存在しない電話番号であれば、表示部５には、発信者表示機能による通常の表示がなされる。
【００３７】
　図１は、その場合の表示例を示しており、（ａ）に示す待受け状態から、特定者の登録データ中に存在しない電話番号から電話がかかってきた場合には、（ｂ）に示すように、電話帳データ中に存在する電話番号であれば、「着信中」のメッセージと共にの相手先名（この場合「山下達郎」）が表示される。図示はしないが、発信元が電話帳データ中にも存在しない電話番号であれば、相手先名に代えてその電話番号がそのまま表示される。
【００３８】
　これに対し、特定者登録データ中に存在する電話番号であれば、その特定者登録データに基づき、（ｃ）に示すように、特定者である相手先名と共に、選択されている特定の絵柄が表示される。図の例では、「中村智子」の相手先名と共に、恋人偏を示す「ハート」の絵柄が表示されるようになる。また、図示はしないが、特定者である友人からの電話であれば、相手先名と共に「花」の絵柄が表示され、特定者である家からの電話であれば、相手先名と共に「家」の絵柄が表示されることになる。尚、通常モードの場合、この着信中には所定の着信音が鳴動されることは勿論である。
【００３９】
　このように本実施例によれば、登録された特定者からの着信があったときには、相手先名のみ（あるいは電話番号のみ）が表示部５に表示される通常の場合と異なり、絵柄を含んだ特定の表示形態で表示部５の表示を行なうようにした。従って、ユーザは、表示部５を一目見ただけで、特定者からの着信であることが容易に判るようになる。この場合、従来のような着信音によって特定者からの着信を他者と区別するものと異なり、携帯電話機１がサイレントモードやバイブレーたモードとなっていても、特定者からの着信であることを有効に知らせることができる。
【００４０】
　そして、特定者の登録は、電話帳データに記憶されている相手先のうちユーザが特定者としたい相手先を指定することにより行なうことができるので、従来のような相手先の名称とその電話番号とを、ユーザがキー操作によりいちいち入力しなければならなかったものと異なり、相手先名を一字一字入力すると共に１１桁もの電話番号を１個ずつキー入力するといった入力操作を行なう必要がなくなり、特定者の指定のための操作を容易に行なうことができるものである。
【００４１】
　この結果、本実施例によれば、特定者からの着信を着信音によらずに判りやすく知らせることができると共に、そのための設定操作を容易に行なうことができるという優れた効果を得ることができる。また、特に本実施例では、特定者の指定を、電話帳データに登録されたグループ単位でも行なうことができるようにしたので、複数人のグループを特定者として一括して指定することを極めて容易に行なうことができ、さらには、特定の表示形態としての絵柄が複数設けられていてそれらを選ぶことができるようにしたので、特定の表示がバラエティに富んだものとなり、特定者からの着信であることを、ユーザに対して、より判りやすく且つ楽しく知らせることができるといったメリットも得ることができる。
【００４２】
　尚、上記実施例では、特定の表示形態として絵柄表示を採用したが、特定の表示形態としては、動画表示（アニメーション）を含むものとすることもでき、これにより、よりアミューズメント性を高めることができる。また、上記実施例では、説明の簡単化のため、３種類の絵柄を例としたが、例えば数十種類の多数の絵柄からユーザが選択できるように構成すれば、より効果的となる。
【００４３】
　また、図示及び詳しい説明は省略するが、特定の表示形態を、表示部５のバックライトの色の変更を含むものとすることができる（請求項５に対応）。例えば通常の着信時にはバックライトの色を緑とし、特定者からの着信時にはバックライトの色を赤とするといったものである。これにより、通常の場合と特定者の場合とを一目で区別でき、特定者からの着信があったことを、ユーザに一層判りやすく知らせることができる。その他にも、黄色や青、オレンジ色等バックライトの色を多色に変更できる構成とすれば、より効果的となる。
【００４４】
　あるいは、着信時に点灯あるいは点滅する着信ランプ８の色を、例えば２色発光ＬＥＤを用いて、通常の場合には緑、特定者からの場合には赤といったように変更する構成としても良い（請求項６に対応）。これによっても、通常の場合と特定者の場合とを一目で区別でき、特定者からの着信があったことを、ユーザに一層判りやすく知らせることができる。
【００４５】
　さらには、上記実施例では触れなかったが、表示形態の変更と併せて、着信音についても、通常の場合と特定者の場合とで変更する構成とすればより一層効果的となり、バイブレータの振動パターンを、通常の場合と特定者の場合とで変更する構成とすることも可能である。また、特定者登録データを電話帳データと別に持つのではなく、電話帳データ中にフラグ等を付すことによって特定者の登録を行なうようにしても良い。その他、本発明は上記した実施例に限定されるものではなく、例えば携帯電話機に限らず、一般回線電話や自動車電話など各種の通信端末装置に適用することができる等、要旨を逸脱しない範囲内で適宜変更して実施し得るものである。
【図面の簡単な説明】
【００４６】
【図１】本発明の一実施例を示すもので、表示部の待受け画面（ａ）、通常の着信中（ｂ）、特定者からの着信中（ｃ）の表示例を示す図
【図２】個人を特定者として登録する際の処理の流れを示す図
【図３】グループを一括して特定者として登録する際の処理の流れを示す図
【図４】携帯電話機の外観を示す斜視図
【図５】携帯電話機の電気的構成を概略的に示すブロック図
【符号の説明】
【００４７】
　図面中、
　１は携帯電話機（通信端末装置）、
　３はキー操作部（指定手段）、
　５は表示部、
　８は着信ランプ、
　１０は制御回路（表示形態切替手段）、
　１６はメモリ
　を示す。
【図１】
2004088796.tif 000003
【図２】
2004088796.tif 000004
【図３】
2004088796.tif 000005
【図４】
2004088796.tif 000006
【図５】
2004088796.tif 000007